(57)【要約】【課題】、プレフィルタとメインフィルタを同時に交換又は洗浄が可能なプレ・メイン一体型エアフィルタを提供することである。【解決手段】前面と背面を貫通するとともに、これらの前面及び背面の全面に亘って開口を有する枠体１０と、シート状のフィルタ材１８をひだ状に互い違いに折り曲げることによって構成され、前記枠体１０の前面側の開口１０Ａに設けられたプレフィルタ１２と、シート状のフィルタ材２２、２４をひだ状に互い違いに折り曲げることによって構成され、前記枠体１０の背面側の開口１０Ｂに設けられたメインフィルタ１４と、を備え、前記メインフィルタ１４は、プレフィルタ１２よりも細かい粒子を捕集可能に形成されており、前記プレフィルタ１２は、前記メインフィルタ１４よりもシート状のフィルタ材の表面積が広いことを特徴とするプレ・メイン一体型エアフィルタである。【選択図】図１
2006102710.tif 000002
【特許請求の範囲】
【請求項１】
前面と背面を貫通するとともに、これらの前面及び背面の全面に亘って開口を有する枠体と、
シート状のフィルタ材をひだ状に互い違いに折り曲げることによって構成され、前記枠体の前面側の開口に設けられたプレフィルタと、
シート状のフィルタ材をひだ状に互い違いに折り曲げることによって構成され、前記枠体の背面側の開口に設けられたメインフィルタと、を備え、
前記メインフィルタは、プレフィルタよりも細かい粒子を捕集可能に形成されており、
前記プレフィルタは、前記メインフィルタよりもシート状のフィルタ材の表面積が広いことを特徴とするプレ・メイン一体型エアフィルタ。
【請求項２】
前記プレフィルタは、前記メインフィルタよりも枠体の前面側に向いた面積が広くなるように配置されていることを特徴とするプレ・メイン一体型エアフィルタ。
【請求項３】
前記プレフィルタの前後方向の厚みを前記メインフィルタよりも厚く構成し、
前記プレフィルタ及びメインフィルタは、いずれも前記枠体の開口に対して平行に配置されていることを特徴とする請求項１記載のプレ・メイン一体型エアフィルタ。
【請求項４】
前記プレフィルタ及びメインフィルタは、シート状のフィルタ材に、その縦方向に等間隔をおいて幅方向に連続してホットメルトを塗布した後、ひだ状に互い違いに複数折り曲げることによって構成されていることを特徴とする請求項１乃至３いずれか記載のプレ・メイン一体型エアフィルタ。
【請求項５】
前記枠体、プレフィルタ及びメインフィルタは、いずれも合成樹脂から構成されていることを特徴とする請求項１乃至４いずれか記載のプレ・メイン一体型エアフィルタ。
【発明の詳細な説明】
【技術分野】
【０００１】
本発明は、オフィスビルやマンションなどの空調設備などに取り付けることにより、外気の塵や埃などを捕集することが可能なプレ・メイン一体型エアフィルタに関する。
【背景技術】
【０００２】
従来からオフィスビルやマンションなどの空調設備には、エアフィルタが取り付けられており、このエアフィルタにより、外気の塵や埃などが捕集されている（特許文献１）。従来のエアフィルタとしては、通常、塵や埃など比較的大きな粒子、例えば５μｍ以上の粒子を捕集可能なプレフィルタと、車の排気ガスやタバコの煙など比較的小さな粒子、例えば０．３μｍ以上の粒子を捕集可能なメインフィルタとの２種類が用いられており、これらは、別体として設けられている。
【０００３】
【特許文献１】特開２００１−１７０４２３号公報
【発明の開示】
【発明が解決しようとする課題】
【０００４】
しかしながら、プレフィルタは、通常使用で１、２ヶ月に１回交換しなければならず、１年に１回の交換で足りるメインフィルタに比べて短期間に交換を行なわなければならない。このため、それぞれの交換時期などが異なるため、これら２種類のフィルタのメンテナンスは容易でなく、また、２種類のフィルタを一体とすることは困難である。特に、近年、使用済みのエアフィルを洗浄することによって、再使用することが行なわれているが、別体のフィルタそれぞれを異なる時期に洗浄するのでは、メンテナンスの効率が良くないという問題がある。
【０００５】
そこで、本発明は、プレフィルタとメインフィルタを同時に交換又は洗浄が可能なプレ・メイン一体型エアフィルタを提供することを目的とする。
【課題を解決するための手段】
【０００６】
以上の目的を達成するために、本発明は、前面と背面を貫通するとともに、これらの前面及び背面の全面に亘って開口を有する枠体と、シート状のフィルタ材をひだ状に互い違いに折り曲げることによって構成され、前記枠体の前面側の開口に設けられたプレフィルタと、シート状のフィルタ材をひだ状に互い違いに折り曲げることによって構成され、前記枠体の背面側の開口に設けられたメインフィルタと、を備え、前記メインフィルタは、プレフィルタよりも細かい粒子を捕集可能に形成されており、前記プレフィルタは、前記メインフィルタよりもシート状のフィルタ材の表面積が広いことを特徴とするプレ・メイン一体型エアフィルタである。
【０００７】
以上のように、本発明に係るプレ・メイン一体型エアフィルタによれば、プレフィルタのシート状のフィルタ材の表面積をメインフィルタよりも広くすることにより、プレフィルタの使用寿命を長くし、同時にプレフィルタとメインフィルタの交換や洗浄を行なうことができるので、捕集可能な粒子が異なる２種類のフィルタであっても、これらを一体にすることができる。プレフィルタの使用寿命を長くすることができない場合、プレフィルタとメインフィルタを一体としても、プレフィルタの交換時期になれば、たとえメインフィルタの交換時期でなくとも、これら一体となったエアフィルタを交換しなければならないが、本発明に係るエアフィルタのようにプレフィルタの使用寿命を長くすることによって、プレフィルタとメインフィルタの交換や洗浄の時期を同時にすることできる。
【０００８】
本発明に係るプレ・メイン一体型エアフィルタにおいて、前記プレフィルタは、前記メインフィルタよりも枠体の前面側に向いた面積が広くなるように配置されても良く、また、前記プレフィルタの前後方向の厚みを前記メインフィルタよりも厚く構成し、前記プレフィルタ及びメインフィルタは、いずれも前記枠体の開口に対して平行に配置されても良い。このように構成することによって、プレフィルタのシート状のフィルタ材の表面積をメインフィルタよりも広くすることができる。さらに、前記枠体、プレフィルタ及びメインフィルタは、いずれも合成樹脂から構成されていることが好ましい。このようにいずれも合成樹脂から構成することによって、これらを洗浄再使用することを含めたリサイクルすることが可能である。
【０００９】
またさらに、本発明に係るプレ・メイン一体型エアフィルタにおいて、前記プレフィルタ及びメインフィルタは、シート状のフィルタ材に、その縦方向に等間隔をおいて幅方向に連続してホットメルトを塗布した後、ひだ状に互い違いに複数折り曲げることによって構成されていることが好ましく、このようにシート状のフィルタ材の幅方向に連続してホットメルトを塗布し、ひだ状に折り曲げることによって、フィルタの谷側にも十分な隙間を保つことができるので、洗浄水を流す際にフィルタの谷側が収束してシート同士が引っ付くことはなく、フィルタの洗浄を容易に行なうことができる。
【発明の効果】
【００１０】
以上のように、本発明によれば、プレフィルタとメインフィルタの交換時期を同時にすることが可能な一体型エアフィルタを提供することができる。
【発明を実施するための最良の形態】
【００１１】
図１は、本発明に係るプレ・メイン一体型エアフィルタの実施例の背面図であり、図２は、図１のＩＩ−ＩＩ線に沿った断面図であり、図３は、図２のＩＩＩ−ＩＩＩ線に沿った断面図である。本実施例に係るエアフィルタは、前面側と背面側を貫通するとともに、全面に亘って開口された枠体１０と、枠体１０の前面側の開口１０Ａに設けられたプレフィルタ１２と、枠体１０の背面側の開口１０Ｂに設けられたメインフィルタ１４と、を備えている。
【００１２】
プレフィルタ１２は、図２に示すように直方体状に形成された１２個のフィルタブロック１６から構成されており、これらフィルタブロック１６は、二つ一組がハの字状に、すなわち隣接するものが互いに反対側に傾いて枠体１０内に配置されている。これらフィルタブロック１６は、以下のように一枚のシート状のフィルタ材１８から形成されている。すなわち、先ず一枚のシート状のフィルタ材１８の両面に、縦方向に等間隔をおいて、幅方向に連続してホットメルト２０を塗布し、ホットメルト２０が固まる前に同一幅のひだ状に互い違いに複数折り曲げることにより、一つのブロック体を形成する。このブロック体の側面図を図４に示し、一部正面図を図５に示し、図４のＶＩ−ＶＩ線に沿った一部断面図を図６に示す。この一つのブロック体を幅方向に等間隔毎に１１箇所折り曲げることによって、幅方向の端辺が連続する１２個のフィルタブロック１６を得ることができる。ホットメルト２０は、折り曲げられたフィルタ材１８の谷部まで塗布されており、これによりフィルタブロック１６の谷側にも隙間を保つことができる。フィルタ材１８は、例えばポリプロピレン繊維などの合成繊維から構成されており、透過する５μｍ以上の粒子をほぼ９０％捕集可能に構成されている。
【００１３】
メインフィルタ１４は、図１及び２に示すように枠体１０の背面全面に亘って、設けられており一つのフィルタから構成されている。このメインフィルタ１４は、図７乃至９に示すように、２枚のシート状のフィルタ材２２、２４を重ね合わせた状態で同一幅のひだ状に互い違いに複数折り曲げることによって形成されている。重ねあわされた状態のフィルタ材２２、２４の両面には、縦方向に等間隔をおいて、幅方向に連続してホットメルト２６が塗布され、ホットメルト２６が固まる前に互い違いに複数折り曲げることによって、メインフィルタ１４は、形成される。ホットメルト２６は、折り曲げられたフィルタ材２２、２４の谷部まで塗布されており、これによりメインフィルタ１４の谷側にも隙間を保つことができる。フィルタ材２２、２４は、いずれも例えば、超極細ポリプロピレン繊維などの合成繊維から構成されており、前側のフィルタ材２２は、透過する３μｍ以上の粒子をほぼ９０％捕集可能に構成されており、後側のフィルタ材２４は、透過する０．３μｍ以上の粒子をほぼ５０％捕集可能に構成されている。これら２枚のフィルタ材２２、２４は、溶着又は接着剤による接着によって一体となっている。
【００１４】
枠体１０は、合成樹脂から形成されている。枠体１０の上面１０Ｃ及び底面１０Ｄの内面には、プレフィルタ１２及びメインフィルタ１４の上端及び下端が嵌入可能な溝２８、３０が形成されており、プレフィルタ１２及びメインフィルタ１４は、その上端及び下端を枠体１０の上面１０Ｃ及び底面１０Ｄの溝２８、３０に嵌入して上面１０Ｃ及び底面１０Ｄによって挟持し、さらに溝２８、３０に例えば、ウレタン樹脂などの合成樹脂製の接着剤３２を流し込むことによって、プレフィルタ１２及びメインフィルタ１４を枠体１０に固定することができる。また、枠体１０、プレフィルタ１２及びメインフィルタ１４は、いずれも合成樹脂で構成されているため、これらを洗浄再使用することを含めたリサイクルすることが可能である。
【００１５】
以上のように本実施例に係るプレ・メイン一体型エアフィルタにおいては、プレフィルタ１２を枠体１０の前面側の開口１０Ａに対して斜めに配置することによって、シート状のフィルタ材１８の表面積を増加させたが、プレフィルタ１２の前後方向の厚みをメインフィルタ１４よりも厚く構成することによって、シート状のフィルタ材１８の表面積を増加させても良く、この場合、プレフィルタ１２は、図１０に示すようにメインフィルタと平行に設けても良い。
【図面の簡単な説明】
【００１６】
【図１】本発明に係るプレ・メイン一体型エアフィルタの実施例の背面図である。
【図２】図１のＩＩ−ＩＩ線に沿った断面図である。
【図３】図２のＩＩＩ−ＩＩＩ線に沿った断面図である。
【図４】本実施例に係るプレ・メイン一体型エアフィルタのプレフィルタを構成するフィルタブロックの側面図である。
【図５】本実施例に係るプレ・メイン一体型エアフィルタのプレフィルタを構成するフィルタブロックの一部正面図である。
【図６】図４のＶＩ−ＶＩ線に沿った一部断面図である。
【図７】本実施例に係るプレ・メイン一体型エアフィルタのメインフィルタの側面図である。
【図８】本実施例に係るプレ・メイン一体型エアフィルタのメインフィルタの正面図である。
【図９】図７のＩＸ−ＩＸ線に沿った切欠き断面図である。
【図１０】本発明に係るプレ・メイン一体型エアフィルタの他の態様の図２に対応する図である。
【符号の説明】
【００１７】
１０   枠体
１２   プレフィルタ
１４   メインフィルタ
１８、２２、２４     フィルタ材
【図１】
2006102710.tif 000003
【図２】
2006102710.tif 000004
【図３】
2006102710.tif 000005
【図４】
2006102710.tif 000006
【図５】
2006102710.tif 000007
【図６】
2006102710.tif 000008
【図７】
2006102710.tif 000009
【図８】
2006102710.tif 000010
【図９】
2006102710.tif 000011
【図１０】
2006102710.tif 000012